(57)【要約】【課題】  万が一旧線が切断した際にのみ旧線を把持する。【解決手段】ダウンロック金車１は、上部に押圧体２６が固定された支持フレーム２と、支持フレーム２に水平軸線回りに回転自在に軸支された一対の支持ローラ３１と、支持フレーム２に昇降自在に嵌挿され、下端に押圧体４３が固定された昇降プレート４１と、支持フレーム２と昇降プレート４１に回動自在に軸支された一対の屈折リンク５と、支持フレーム２と各屈折リンク５間に配設され、押圧体２６，４３が離隔する方向に付勢する付勢手段６と、金車と吊下ケーブルを介して連結可能な吊下部材７と、吊り下げ部材７に一端が連結されるとともに、他端が各屈折リンク５に連結された一対の引張ケーブル８と、から構成される。そして、引張ケーブル８に自重による張力が作用した際、付勢手段６の付勢力に抗して昇降プレート４１を支持フレーム２に対して引き上げ、押圧体２６，４３間で送電線を把持する。【選択図】  図１
2006340484.tif 000002
【特許請求の範囲】
【請求項１】
上部に押圧体が固定された支持フレームと、支持フレームにそれぞれ水平軸線回りに回転自在に軸支された左右一対の支持ローラと、支持フレームに対して昇降自在に嵌挿され、下端に支持フレームの押圧体と対向する押圧体が固定された昇降プレートと、先端が支持フレームおよび昇降プレートにそれぞれ回動自在に軸支された左右一対の屈折リンクと、支持フレームと各屈折リンク間に配設され、支持フレームの押圧体と昇降プレートの押圧体とが離隔する方向に付勢する付勢手段と、金車と吊り下げケーブルを介して連結可能な吊り下げ部材と、吊り下げ部材に一端が連結されるとともに、他端が各屈折リンクにそれぞれ連結された一対の引っ張りケーブルと、から構成され、その自重による張力が引っ張りケーブルに作用した際、付勢手段の付勢力に抗して屈折リンクを伸展させて昇降プレートを支持フレームに対して引き上げ、支持フレームの押圧体と昇降プレートの押圧体との間で送電線を把持することを特徴とするダウンロック金車。
【請求項２】
前記支持ローラおよび昇降プレートの押圧体が、水平な作業位置と送電線挿入位置との間で回動自在であり、かつ、水平な作業位置においてそれぞれ固定可能であることを特徴とする請求項１記載のダウンロック金車。
【請求項３】
前記支持フレームの左右端縁部にそれぞれ一対の第１案内ローラが垂直軸線回りに回転自在に軸支されるとともに、その端部に各支持ローラの上方に位置して一対の第２案内ローラが水平軸線回りに回転自在に軸支されていることを特徴とする請求項１または２記載のダウンロック金車。
【請求項４】
重要横断物が存在する鉄塔間に、既設の送電線を利用して、連結ロープを介して設定間隔をおいて交互に連結された吊り金車および前記請求項１乃至３のいずれかに記載のダウンロック金車を展開するとともに、前記吊り金車およびダウンロック金車に吊り下げケーブルによって連結された金車に仕込んだ支持ロープを展開した後、支持ロープを張り上げて吊り金車を反転させるとともに、既設の送電線の張力を緩めて支持碍子から切り離し、次いで、既設の送電線に新設の送電線を連結して支持ロープに既設の送電線を預けた後、新設の送電線を一方の鉄塔側から繰り出しながら他方の鉄塔側で既設の送電線を巻き取る一方、送電線の切断時に支持ロープに金車および吊り下げケーブルを介して懸吊されたダウンロック金車によって切断された送電線を把持することを特徴とするダウンロック金車を用いた送電線の取り替え工法。
【請求項５】
重要横断物が存在する鉄塔間を含む連続する３本以上の鉄塔間において、重要横断物が存在する鉄塔間に、既設の送電線を利用して、連結ロープを介して設定間隔をおいて交互に連結された吊り金車および前記請求項１乃至３のいずれかに記載のダウンロック金車を展開するとともに、前記吊り金車およびダウンロック金車に吊り下げケーブルによって連結された金車に仕込んだ支持ロープを展開する一方、重要横断物が存在しない鉄塔間に、既設の送電線を利用して、連結ロープを介して設定間隔をおいて連結された吊り金車を展開するとともに、前記吊り金車に仕込んだ支持ロープを展開した後、各鉄塔間において、支持ロープを順次張り上げて吊り金車を反転させるとともに、既設の送電線の張力を緩めて支持碍子から切り離し、次いで、鉄塔間にわたる既設の送電線に新設の送電線を連結して支持ロープに既設の送電線を預けた後、新設の送電線を始端の鉄塔側から繰り出しながら終端の鉄塔側で既設の送電線を巻き取る一方、任意の区間における送電線の切断時に支持ロープに金車および吊り下げケーブルを介して懸吊されたダウンロック金車によって切断された送電線を把持することを特徴とするダウンロック金車を用いた送電線の取り替え工法。
【発明の詳細な説明】
【技術分野】
【０００１】
この発明は、経年劣化した既設の送電線（以下、旧線という。）を撤去して新設の送電線（以下、新線という。）に取り替える際、万が一旧線が切断したとしても旧線の垂れ下がりによる地上の重要横断物、例えば、鉄道や高速道路などへの悪影響を防止することができるダウンロック金車およびダウンロック金車を用いた送電線の取り替え工法に関するものである。
【背景技術】
【０００２】
従来より、旧線を撤去して新線に取り替える工法としては、吊り金車を用いる反転吊り金車工法が知られている。
【０００３】
このような反転吊り金車工法においては、旧線を撤去する際、旧線に作用する曲げ力や張力によって旧線が切断するおそれがある。万が一旧線が切断すると、切断箇所から旧線が地上の鉄道や高速道路などに垂れ下がり、交通障害や交通事故の原因となったり、樹木や家屋などに悪影響を及ぼすおそれがある。
【０００４】
このような問題に対応して、吊り金車と吊り金車との間に旧線を把持する電線把持器を配置し、電線把持器によって旧線を把持した状態で撤去する旧線撤去工法が提案されている（特許文献１，２参照）。
【特許文献１】特公平７−１０１２４号公報
【特許文献２】特公平７−５７０５０号公報
【発明の開示】
【発明が解決しようとする課題】
【０００５】
しかしながら、前述した旧線撤去工法においては、旧線を電線把持器によって把持した状態で撤去するため、万が一旧線が切断したとしても旧線の垂れ下がりを可及的に抑えることができ、地上の横断物に対する悪影響を確実に防止できるものの、旧線撤去に際して、旧線を巻き取る側の鉄塔に電線把持器が到着する度に旧線の巻き取り作業を中断して電線把持器を旧線から離脱させて回収する必要があるとともに、新線を繰り出す側の鉄塔において、電線把持器を新線に把持させて補充する必要があり、多くの作業時間を必要とするという問題があった。
【０００６】
本発明は、このような問題点に鑑みてなされたもので、万が一旧線が切断した際にのみ旧線を把持することのできるダウンロック金車を提供するとともに、短時間に旧線を撤去して新線に取り替えることができ、万が一旧線が切断した際には、ダウンロック金車によって旧線を把持して垂れ下がりを防止することができるダウンロック金車を用いた送電線の取り替え工法を提供するものである。
【課題を解決するための手段】
【０００７】
本発明のダウンロック金車は、上部に押圧体が固定された支持フレームと、支持フレームにそれぞれ水平軸線回りに回転自在に軸支された左右一対の支持ローラと、支持フレームに対して昇降自在に嵌挿され、下端に支持フレームの押圧体と対向する押圧体が固定された昇降プレートと、先端が支持フレームおよび昇降プレートにそれぞれ回動自在に軸支された左右一対の屈折リンクと、支持フレームと各屈折リンク間に配設され、支持フレームの押圧体と昇降プレートの押圧体とが離隔する方向に付勢する付勢手段と、金車と吊り下げケーブルを介して連結可能な吊り下げ部材と、吊り下げ部材に一端が連結されるとともに、他端が各屈折リンクにそれぞれ連結された一対の引っ張りケーブルと、から構成され、その自重による張力が引っ張りケーブルに作用した際、付勢手段の付勢力に抗して屈折リンクを伸展させて昇降プレートを支持フレームに対して引き上げ、支持フレームの押圧体と昇降プレートの押圧体との間で送電線を把持することを特徴とするものである。
【０００８】
本発明によれば、既設の送電線を撤去する鉄塔間に張り渡された支持ロープに、送電線を内部に収容したダウンロック金車が金車および吊り下げケーブルを介して懸吊され、この状態で送電線が切断したとすると、送電線の垂れ下がりに追従してダウンロック金車も落下する。このとき、ダウンロック金車は、支持ロープに金車および吊り下げケーブルを介して懸吊されているため、吊り下げケーブルの弛み分落下すれば、吊り下げケーブルおよび引っ張りケーブルを緊張させて、それ以上の落下が阻止される。その際、ダウンロック金車の自重による張力を屈折リンクに作用させて伸展させ、付勢手段の付勢力に抗して昇降プレートを支持フレームに対して引き上げる。このため、支持フレームの押圧体と昇降プレートの押圧体との間で切断された送電線を挟み込んで把持する。送電線を把持すれば、ダウンロック金車の自重に加えて、切断された送電線の重量がさらに作用し、切断された送電線をより強力に挟み込んで把持する。
【０００９】
一方、送電線が切断しない状態では、支持ロープに懸吊された金車と、送電線に支持ローラを介して吊り下げられているダウンロック金車とは、一定の弛みを有する吊り下げケーブルを介して連結されており、このため、引っ張りケーブルには、ダウンロック金車の自重による張力は作用せず、屈折リンクは付勢手段を介して屈折状態に保持され、昇降プレートは支持フレームに対して引き下げ位置にある。したがって、支持フレームの押圧体に対して昇降プレートの押圧体は、離隔されており、送電線の巻き取りに際して影響を与えることはない。
【００１０】
この結果、送電線が切断した場合にのみ、すなわち、送電線が切断し、ダウンロック金車が落下することによって引っ張りケーブルにその自重が作用した場合のみ、送電線を挟み込んで把持し、その垂れ下がりを確実に防止することができる。
【００１１】
本発明において、前記支持ローラおよび昇降プレートの押圧体が、水平な作業位置と送電線挿入位置との間で回動自在であり、かつ、水平な作業位置においてそれぞれ固定可能であると、支持フレームの内部に送電線を簡単に収容し、その内部から脱落しないように保持することができる。
【００１２】
本発明において、前記支持フレームの左右端縁部にそれぞれ一対の第１案内ローラが垂直軸線回りに回転自在に軸支されるとともに、その端部に各支持ローラの上方に位置して一対の第２案内ローラが水平軸線回りに回転自在に軸支されていると、送電線の周囲を支持ローラおよび案内ローラによって包囲することができ、送電線の延線方向に対してダウンロック金車が傾斜しようとしても、案内ローラによって送電線を案内することができる。
【００１３】
本発明のダウンロック金車を用いた送電線の取り替え工法は、重要横断物が存在する鉄塔間に、既設の送電線を利用して、連結ロープを介して設定間隔をおいて交互に連結された吊り金車および前記請求項１乃至３のいずれかに記載のダウンロック金車を展開するとともに、前記吊り金車およびダウンロック金車に吊り下げケーブルによって連結された金車に仕込んだ支持ロープを展開した後、支持ロープを張り上げて吊り金車を反転させるとともに、既設の送電線の張力を緩めて支持碍子から切り離し、次いで、既設の送電線に新設の送電線を連結して支持ロープに既設の送電線を預けた後、新設の送電線を一方の鉄塔側から繰り出しながら他方の鉄塔側で既設の送電線を巻き取る一方、送電線の切断時に支持ロープに金車および吊り下げケーブルを介して懸吊されたダウンロック金車によって切断された送電線を把持することを特徴とするものである。
【００１４】
本発明によれば、地上に重要横断物が存在し、取り替える必要のある既設の送電線が架設された区間の一方の鉄塔において、既設の送電線に自走機を懸吊し、支持ロープおよび連結ロープを連結して他方の鉄塔に向けて走行させる。設定距離走行すれば、吊り金車を連結ロープと連結する一方、その一方の金車を既設の送電線に懸吊するとともに、他方の金車に支持ロープを仕込んで懸架させた後、再び設定距離走行させ、ダウンロック金車の吊り下げ部材と金車を吊り下げケーブルで連結し、吊り下げケーブルを連結ロープと連結する一方、ダウンロック金車を既設の送電線に懸吊するとともに、金車に支持ロープを仕込んで懸架させる。以下同様に、連結ロープを介して設定間隔をおいて連結された吊り金車および金車と吊り下げケーブルで連結したダウンロック金車を交互に展開する。
【００１５】
自走機が他方の鉄塔に到達すれば、支持ロープを張り上げて既設の送電線の上方に配置し、吊り金車を反転させる。すなわち、張り上げた支持ロープに、吊り金車の他方の金車を懸吊させるとともに、ダウンロック金車に吊り下げケーブルを介して連結された金車を懸吊させる。この後、既設の送電線の張力を緩めて支持碍子から切り離し、既設の送電線に新設の送電線を連結して支持ロープに既設の送電線を預けた後、新設の送電線を一方の鉄塔側から繰り出しながら他方の鉄塔側で既設の送電線を巻き取ることにより、一方の鉄塔から他方の鉄塔にかけて既設の送電線を新設の送電線に取り替える。
【００１６】
この際、既設の送電線の巻き取り時に巻き取り作業を中断して電線把持器を追加する必要がなく、連続的に作業することができることから、作業時間を大幅に短縮することができる。
【００１７】
ところで、既設の送電線を取り替える際に送電線が切断した場合、送電線の垂れ下がりに追従して、ダウンロック金車も落下する。この際、ダウンロック金車は、支持ロープに懸吊された金車および吊り下げケーブルを介して支持されることから、ダウンロック金車の自重によって吊り下げケーブルおよび引っ張りケーブルが緊張し、それ以上の落下が阻止される。そして、ダウンロック金車の自重による張力を緊張した引っ張りケーブルを介して屈折リンクに作用させて伸展させ、付勢手段の付勢力に抗して支持フレームに対して昇降プレートを引き上げる。このため、支持フレームの押圧体と昇降プレートの押圧体との間で切断された送電線を挟み込んで把持することから、切断された送電線の垂れ下がりを防止することができる。しかも、切断された送電線を把持すれば、ダウンロック金車の自重に加えて切断された送電線の重量がさらに作用することから、支持フレームの押圧体と昇降部材の押圧体との間で切断された送電線をより強力に挟み込んで把持することができる。
【００１８】
この結果、短時間に既設の送電線を撤去して新設の送電線に取り替えることができるとともに、万が一送電線が切断した場合には、ダウンロック金車を用いて切断された送電線を把持して垂れ下がりを防止することができ、地上の重要横断物に影響を与えることはない。
【００１９】
本発明のダウンロック金車を用いた送電線の取り替え工法は、重要横断物が存在する鉄塔間を含む連続する３本以上の鉄塔間において、重要横断物が存在する鉄塔間に、既設の送電線を利用して、連結ロープを介して設定間隔をおいて交互に連結された吊り金車および前記請求項１乃至３のいずれかに記載のダウンロック金車を展開するとともに、前記吊り金車およびダウンロック金車に吊り下げケーブルによって連結された金車に仕込んだ支持ロープを展開する一方、重要横断物が存在しない鉄塔間に、既設の送電線を利用して、連結ロープを介して設定間隔をおいて連結された吊り金車を展開するとともに、前記吊り金車に仕込んだ支持ロープを展開した後、各鉄塔間において、支持ロープを順次張り上げて吊り金車を反転させるとともに、既設の送電線の張力を緩めて支持碍子から切り離し、次いで、鉄塔間にわたる既設の送電線に新設の送電線を連結して支持ロープに既設の送電線を預けた後、新設の送電線を始端の鉄塔側から繰り出しながら終端の鉄塔側で既設の送電線を巻き取る一方、任意の区間における送電線の切断時に支持ロープに金車および吊り下げケーブルを介して懸吊されたダウンロック金車によって切断された送電線を把持することを特徴とするものである。
【００２０】
本発明によれば、地上に重要横断物が存在する鉄塔間を含み、取り替える必要のある既設の送電線が架設された連続する３本以上の鉄塔間の各区間において、既設の送電線に自走機を懸吊し、支持ロープおよび連結ロープを連結して隣接する鉄塔に向けて走行させる。この際、重要横断物が存在する鉄塔間においては、設定距離走行すれば、吊り金車を連結ロープと連結する一方、その一方の金車を既設の送電線に懸吊するとともに、他方の金車に支持ロープを仕込んで懸架させた後、再び設定距離走行させ、ダウンロック金車の吊り下げ部材と金車を吊り下げケーブルで連結し、吊り下げケーブルを連結ロープと連結する一方、ダウンロック金車を既設の送電線に懸吊するとともに、金車に支持ロープを仕込んで懸架させる。以下同様に、設定間隔をおいて吊り金車および金車と吊り下げケーブルで連結したダウンロック金車を交互に展開する。また、重要横断物が存在しない鉄塔間においては、設定距離走行すれば、吊り金車を連結ロープと連結する一方、その一方の金車を既設の送電線に懸吊するとともに、他方の金車に支持ロープを仕込んで懸架させた後、再び設定距離走行させ、以下同様に、設定間隔をおいて吊り金車を展開する。
【００２１】
重要横断物が存在する鉄塔間に、支持ロープとともに、連結ロープを介して設定間隔をおいて連結された吊り金車およびダウンロック金車を交互に展開するとともに、重要横断物が存在しない鉄塔間に、支持ロープとともに、連結ロープを介して設定間隔をおいて連結された吊り金車を展開したならば、各鉄塔間において、支持ロープを張り上げて既設の送電線の上方に配置し、吊り金車を反転させる。すなわち、張り上げた支持ロープに、吊り金車の他方の金車を懸吊させるとともに、ダウンロック金車に吊り下げケーブルを介して連結された金車を懸吊させる。この後、各鉄塔間の既設の送電線の張力を緩めて支持碍子から切り離し、鉄塔間にわたる既設の送電線に新設の送電線を連結して支持ロープに既設の送電線を預けた後、新設の送電線を始端の鉄塔側から繰り出しながら終端の鉄塔側で既設の送電線を巻き取ることにより、始端の鉄塔から終端の鉄塔にかけて既設の送電線を新設の送電線に取り替える。
【００２２】
この際、既設の送電線の巻き取り時に巻き取り作業を中断して電線把持器を追加する必要がなく、連続的に作業することができることから、作業時間を大幅に短縮することができる。
【００２３】
ところで、既設の送電線を取り替える際に、重要横断物が存在する鉄塔間の送電線が切断した場合、送電線の垂れ下がりに追従して、ダウンロック金車も落下する。この際、ダウンロック金車は、支持ロープに懸吊された金車および吊り下げケーブルを介して支持されることから、ダウンロック金車の自重によって吊り下げケーブルおよび引っ張りケーブルが緊張し、それ以上の落下が阻止される。そして、ダウンロック金車の自重による張力を緊張した引っ張りケーブルを介して屈折リンクに作用させて伸展させ、付勢手段の付勢力に抗して支持フレームに対して昇降プレートを引き上げる。このため、支持フレームの押圧体と昇降プレートの押圧体との間で切断された送電線を挟み込んで把持することから、切断された送電線の垂れ下がりを防止することができる。しかも、切断された送電線を把持すれば、ダウンロック金車の自重に加えて切断された送電線の重量がさらに作用することから、支持フレームの押圧体と昇降部材の押圧体との間で切断された送電線をより強力に挟み込んで把持することができる。
【００２４】
一方、重要横断物が存在しない鉄塔間の送電線が切断した場合、その鉄塔間の送電線の張力が小さくなり、吊り金車間の弛み度が大きくなる。このような張力の減少は、隣接する鉄塔間に順次波及し、隣接する鉄塔間においても吊り金車間の送電線の弛みの増大に発展する。このようにして、送電線の張力の減少は隣接する鉄塔間に順次波及し、ついには、重要横断物が存在する鉄塔間の吊り金車間の弛みに発展する。そして、重要横断物が存在する鉄塔間における送電線の吊り金車間の弛みが、吊り下げケーブルの弛み分以上に大きくなれば、その弛みに追従して徐々に落下しているダウンロック金車は、吊り下げケーブルおよび引っ張りケーブルを緊張させて支持される。以下、前述したように、ダウンロック金車の自重による張力を緊張した引っ張りケーブルを介して屈折リンクに作用させて伸展させ、付勢手段の付勢力に抗して支持フレームに対して昇降プレートを引き上げ、支持フレームの押圧体と昇降プレートの押圧体との間で切断された送電線を挟み込んで把持し、切断された送電線の垂れ下がりを防止することができる。
【００２５】
この結果、短時間に既設の送電線を撤去して新設の送電線に取り替えることができるとともに、重要横断物が存在する鉄塔間の送電線が万が一切断した場合であっても、あるいは、重要横断物が存在しない鉄塔間の送電線が万が一切断した場合であっても、ダウンロック金車を用いて切断された送電線を把持して垂れ下がりを防止することができ、地上の重要横断物に影響を与えることはない。
【発明の効果】
【００２６】
本発明のダウンロック金車によれば、万が一既設の送電線が切断した際にのみ送電線を把持して垂れ下がりを防止することができる。
【００２７】
また、本発明のダウンロック金車を用いた送電線の取り替え工法によれば、短時間に既設の送電線を撤去して新設の送電線に取り替えることができるとともに、万が一送電線が切断した際には、ダウンロック金車によって送電線を把持して垂れ下がりを防止することができる。
【発明を実施するための最良の形態】
【００２８】
以下、本発明の実施の形態を図面に基づいて説明する。
【００２９】
図１および図２には、本発明のダウンロック金車１の一実施形態が示されている。
【００３０】
このダウンロック金車１は、支持フレーム２と、支持フレーム２の左右にそれぞれ設けられた一対の支持ローラ体３と、支持フレーム２に対して昇降自在に設けられた昇降部材４と、支持フレーム２および昇降部材４間にそれぞれ設けられた左右の屈折リンク５と、支持フレーム２と各屈折リンク５間に配設された左右の付勢手段６と、金車に吊り下げるための吊り下げ部材７と、吊り下げ部材７および各屈折リンク５にそれぞれ連結された一対の引っ張りケーブル８と、から構成されている。
【００３１】
支持フレーム２は、左右方向の中間部に下方に開口する切欠部を有するコ字状の正面板２１および該正面板２１と前後対称な背面板（図示せず）と、これらの正面板２１および背面板の上端部間にわたって固定された上面板（図示せず）と、から形成され、正面板２１および背面板の外面には、後述する各昇降部材４の昇降プレート４１を上下方向に摺動自在に案内するガイド２２がそれぞれ設けられている。そして、正面板２１の左右端縁部および背面板の左右端縁部には、それぞれブラケット２３を介して第１案内ローラ２４が垂直軸線回りに回転自在に軸支されている他、正面板２１の左右各端部および背面板の左右各端部にわたって後述する各支持ローラ体３の支持ローラ３１の上方に位置してそれぞれ一対の第２案内ローラ２５が水平軸線回りに回転自在に軸支されている。また、上面板の内面には、左右方向の中間部において、硬質ゴム製の押圧体２６が固定されている。
【００３２】
各支持ローラ体３は、背面板に一端が水平軸線回りに回動自在に連結されたシャフト（図示せず）と、該シャフトに軸受を介して回転自在に軸支された鼓形状の支持ローラ３１と、からなり、シャフトの他端部には、図示しないスプリングを介して常時背面板方向に牽引された固定部３２が設けられている。このため、固定部３２をスプリングの牽引力に抗して正面板２１の折り返し部２１１（図１参照）を越えて引き出すことにより、シャフトを背面板に対して正面板２１の切欠部（図示せず）を通して回動させ、支持ローラ体３を背面板から垂下させることができる。また、支持ローラ体３の垂下位置から回動させ、固定部３２をスプリングの牽引力に抗して引き出し、シャフトを正面板２１の切欠部を経て折り返し部２１１を越えて位置させることにより、固定部３２が正面板２１の折り返し部２１１に係合し、シャフトの脱落を阻止するようになっている。
【００３３】
ここで、支持フレーム２に設けられた支持ローラ３１、第１案内ローラ２４および第２案内ローラ２５によって、支持フレーム２の内部の左右方向に送電線Ｗを挿通することのできる空間が区画される。
【００３４】
昇降部材４は、支持フレーム２の正面板２１および背面板に設けられたガイド２２にそれぞれ摺動自在に嵌挿された一対の昇降プレート４１と、背面板側の昇降プレート４１に一端が水平軸線回りに回動自在に連結された固定ブラケット４２と、固定ブラケット４２に固定された硬質ゴム製の押圧体４３と、からなり、この固定ブラケット４２にも、前述した支持ローラ体３と同様に、図示しないスプリングを介して常時背面板側の昇降プレート４１方向に牽引された固定部４４が設けられている。このため、固定部４４をスプリングの牽引力に抗して正面板２１側の昇降プレート４１の折り返し部４１１を越えて引き出すことにより、固定ブラケット４２を背面板側の昇降プレート４１に対して正面板２１側の昇降プレート４１の切欠部（図示せず）を通して回動させ、押圧体４３を固定した固定ブラケット４２を背面板側の昇降プレート４１から垂下させることができる。また、固定ブラケット４２の垂下位置から回動させ、固定部４４をスプリングの牽引力に抗して引き出し、正面板２１側の昇降プレート４１の切欠部を経て折り返し部４１１を越えて位置させることにより、固定部４４が正面板２１側の昇降プレート４１の折り返し部４１１に係合し、固定ブラケット４２の脱落を阻止するようになっている。
【００３５】
したがって、正面板２１の折り返し部２１１および正面板２１側の昇降プレート４１の折り返し部４１１に対する固定部３２，４４の係合をそれぞれ解除して、各支持ローラ体３および押圧体４３を固定した固定ブラケット４２をそれぞれ回動させることにより、支持フレーム２の下端開口部を開放することができ、開放された開口部を通して支持フレーム２の内部に送電線Ｗを挿入することができる。その後、各支持ローラ体３および固定ブラケット４２を水平状態に回動させ，固定部３２，４４を正面板２１の折り返し部２１１および正面板２１側の昇降プレート４１の折り返し部４１１にそれぞれ係合させることにより、送電線Ｗを支持フレーム２の内部から脱落することなく保持することができる。
【００３６】
なお、固定部４４を介して固定ブラケット４２を昇降プレート４１に係合した際、固定ブラケット４２に固定された押圧体４３は、前述した支持フレーム２の押圧体２６と対向するようになっている。
【００３７】
また、各昇降プレート４１には、支持フレーム２のガイド２２と当接可能なストッパ４５が設けられており、各昇降プレート４１はガイド２２に対して一定以上下降しないように規制されている。
【００３８】
さらに、一対の昇降プレート４１は、その上端部にわたって架設されたピン４６を介して連結されており、同調して昇降するものである。
【００３９】
各屈折リンク５は、基端部がピン５３を介して回動自在に連結された一対ずつのリンク部材５１，５２からなり、その一方のリンク部材５１の先端部が一対の昇降プレート４１の上端部間に架設されたピン４６に回動自在に連結されるとともに、他方のリンク部材５２の先端部が支持フレーム２の上面板に架設されたピン２７に回動自在に連結されて形成されている。したがって、昇降プレート４１をガイド２２にストッパ４５が当接する位置（図１参照）から引き上げることにより、リンク部材５１，５２のなす角度を徐々に拡開させ、伸展させることができる。
【００４０】
なお、一方の一対のリンク部材５１の基端部と他方の一対のリンク部材５２の基端部間を連結するピン５３には、シーブ５４が回転自在に軸支されている他、一方の一対のリンク部材５１の中間部にも、ピン５５を介してシーブ５６が回転自在に軸支されている。
【００４１】
付勢手段６は、コイルスプリングで構成され、支持フレーム２と各屈折リンク５の一方の一対のリンク部材５１間にそれぞれ配設され、常時、一方のリンク部材５１と他方のリンク部材５２とのなす角度を小さくする方向に牽引している。したがって、昇降プレート４１は、通常、ストッパ４５が支持フレーム２のガイド２２に当接する下降位置にある。このため、固定ブラケット４２に固定された押圧体４３は、支持フレーム２に固定した押圧体２６に対して下方に離隔した位置で対向している。
【００４２】
吊り下げ部材７は、シャックルであって、旧線Ｗａあるいは後述する支持ロープ１１に懸吊される金車１０に吊り下げケーブル９を介して連結される。また、各引っ張りケーブル８は、各端部がワイヤーソケット８１を介してリング状に形成され、その一端が吊り下げ部材７に連結されるとともに、他端が前述した一方の屈折リンク５を構成する一方のリンク部材５１に設けたシーブ５６を巻回して他方の屈折リンク５を構成する一方のリンク部材５１および他方のリンク部材５２の基端部に設けたシーブ５４に連結されている。このため、一対の引っ張りケーブル８は、たすき掛けされている。この際、一対の引っ張りケーブル８が互いに接触しないように、一方の屈折リンク５および他方の屈折リンク５は、前後方向に取付位置をずらして設けられている。
【００４３】
次に、このように構成されたダウンロック金車１を用いて、重要横断物が存在する鉄塔Ｔ1 ，Ｔ2 間の送電線Ｗを取り替える要領について図３乃至図７に基づいて説明する。
【００４４】
まず、図３に示すように、旧線Ｗａを利用して、支持ロープ１１の一端および連結ロープ１２の一端がそれぞれ連結された自走機１３を一方の鉄塔Ｔ1 から他方の鉄塔Ｔ2 に向けて走行させ、一方の鉄塔Ｔ1 と他方の鉄塔Ｔ2 との間に支持ロープ１１および連結ロープ１２を張り渡す。
【００４５】
ここで、支持ロープ１１および連結ロープ１２を張り渡すに際し、連結ロープ１２および旧線Ｗａを利用して吊り金車１４およびダウンロック金車１を設定間隔をおいて順に供給し、一方の鉄塔Ｔ1 と他方の鉄塔Ｔ2 との間に設定間隔をおいて吊り金車１４およびダウンロック金車１を交互に展開する。
【００４６】
すなわち、自走機１３を設定距離移動させた後、一方の鉄塔Ｔ1 において、吊り金車１４を連結ロープ１２に連結し、その一方の金車１４１を旧線Ｗａに懸吊するとともに、他方の金車１４２に支持ロープ１１を仕込んで懸架させる。次いで、自走機１３を設定距離移動させた後、金車１０を連結ロープ１２に連結するとともに、金車１０およびダウンロック金車１の吊り下げ部材７に吊り下げケーブル９を連結し、ダウンロック金車１を旧線Ｗａに懸吊する一方、金車１０を支持ロープ１１に仕込んで懸架させる。以下、同様に、設定間隔をおいて吊り金車１４、ダウンロック金車１の順に交互に懸吊して展開する。
【００４７】
なお、ダウンロック金車１を旧線Ｗａに懸吊するには、正面板２１の折り返し部２１１に対する固定部３２の係合を解除するとともに、正面板２１側の昇降プレート４１の折り返し部４１１に対する固定部４４の係合を解除して、支持ローラ３１および固定ブラケット４２をそれぞれ回動させ、支持フレーム２の下端開口部を通して支持フレーム２の内部に旧線Ｗａを挿入した後、各支持ローラ体３および固定ブラケット４２を水平状態に回動させ、固定部３２，４４を正面板２１の折り返し部２１１および正面板２１側の昇降プレート４１の折り返し部４１１にそれぞれ係合させることにより行なう。
【００４８】
この場合、ダウンロック金車１は、その支持ローラ３１を介して旧線Ｗａに懸吊されるため、ダウンロック金車１は、図１に示した状態とは上下反転して旧線Ｗａに吊り下げられる。
【００４９】
一方の鉄塔Ｔ1 と他方の鉄塔Ｔ2 との間に支持ロープ１１および連結ロープ１２が張り渡されるとともに、設定間隔をおいて吊り金車１４およびダウンロック金車１が交互に展開されたならば、支持ロープ１１を張り上げて旧線Ｗａの上方に配設し、吊り金車１４を反転させる（図４参照）。すなわち、吊り金車１４を構成する他方の金車１４２およびダウンロック金車１の吊り下げ部材７に吊り下げケーブル９を介して連結された金車１０が支持ロープ１１に懸吊される。
【００５０】
次いで、一方の鉄塔Ｔ1 側に設置された新線Ｗｂの繰り出し装置Ｄから新線Ｗｂを繰り出し、一方の鉄塔Ｔ1 側において新線Ｗｂの先端と一方の鉄塔Ｔ1 側の旧線Ｗａの一端とを連結するとともに、他方の鉄塔Ｔ2 側に設置された旧線Ｗａの巻き取り装置Ｅに他方の鉄塔Ｔ2 側の旧線Ｗａの一端を連結した後、旧線Ｗａの張力を緩め、支持碍子から切り離し、旧線Ｗａを支持ロープ１１に預けて支持させる（図５参照）。
【００５１】
この後、繰り出し装置Ｄから新線Ｗｂを繰り出すとともに、巻き取り装置Ｅに旧線Ｗａを巻き取ることにより、一方の鉄塔Ｔ1 から他方の鉄塔Ｔ2 にかけて新線Ｗｂを張り渡す（図６参照）。
【００５２】
次いで、新線Ｗｂを支持碍子に接続した後、支持ロープ１１を緩めて新線Ｗｂの下方に配設し、吊り金車１４を反転させる。すなわち、吊り金車１４を構成する一方の金車１４１およびダウンロック金車１が新線Ｗｂに懸吊される。その後、他方の鉄塔Ｔ2 側において、支持ロープ１１および連結ロープ１２の固定を解除して自走機１３に連結し、自走機１３を新線Ｗｂに懸吊する。次いで、一方の鉄塔Ｔ1 側において、支持ロープ１１および連結ロープ１２をウインチなどを利用して牽引すれば、新線Ｗｂに懸吊された吊り金車１４およびダウンロック金車１を新線Ｗｂ上で転動させつつ支持ロープ１１および連結ロープ１２とともに回収することができる（図７参照）。
【００５３】
吊り金車１４およびダウンロック金車１の回収が終了すれば、一方の鉄塔Ｔ1 側の支持ロープ１１の固定を解除するととも、一方の鉄塔Ｔ1 側で自走機１３を回収すればよい。
【００５４】
一方、旧線Ｗａを巻き取っている際に旧線Ｗａが切断すると、旧線Ｗａの張力が小さくなり、吊り金車１４，１４間の弛み度が大きくなる。この弛み度は、吊り金車１４，１４間の中央において、変化量が最大となるが、吊り金車１４，１４間の略中間部には、ダウンロック金車１が配置されており、切断された旧線Ｗａの垂れ下がりに追従してダウンロック金車１も落下する。
【００５５】
この際、ダウンロック金車１は、支持ロープ１１に懸吊された金車１０と吊り下げケーブル９を介して連結されており、吊り下げケーブル９の弛み分だけ落下すれば、支持ロープ１１に懸吊された金車１０および該金車１０に連結された吊り下げケーブル９を介してダウンロック金車１が支持され、それ以上の落下が阻止される。この状態では、旧線Ｗａに反転状態で懸吊されていたダウンロック金車１は、再び反転して図１に示す状態に復帰している。そして、吊り下げケーブル９および引っ張りケーブル８は、ダウンロック金車１の自重が作用して緊張し、その張力を屈折リンク５に作用させ、付勢手段６の付勢力に抗して屈折リンク５を伸展させる。このため、昇降プレート４１は、図１に示す位置から支持フレーム２に対して引き上げられ、支持フレーム２の押圧体２６と昇降部材４の押圧体４３との間で切断された旧線Ｗａを挟み込んで把持することになる（図８参照）。このような旧線Ｗａの把持は、吊り下げケーブル９の弛み分以上落下した全てのダウンロック金車１において行なわれる。支持フレーム２の押圧体２６と昇降部材４の押圧体４３との間で切断された旧線Ｗａを挟み込んで把持すれば、吊り下げケーブル９には、ダウンロック金車１の重量とともに切断された旧線Ｗａの重量がさらに作用することから、支持フレーム２の押圧体２６と昇降部材４の押圧体４３との間で切断された旧線Ｗａをより強力に挟み込んで把持することになる。
【００５６】
なお、旧線Ｗａが切断した場合は、次のようにして回収する。
【００５７】
まず、一方の鉄塔Ｔ1 において、送電線Ｗを切断するとともに、連結ロープ１２を切り離した後、他方の鉄塔Ｔ2 において、切断した送電線Ｗをダウンロック金車１が保持したまま連結ロープ１２を牽引し、吊り金車１４およびダウンロック金車１を支持ロープ１１から取り外す。この際、合わせて巻き取り装置Ｅを介して送電線Ｗを巻き取ればよい（図９参照）。
【００５８】
以上のことから、重要横断物が存在し、旧線Ｗａを新線Ｗｂに取り替えることが要求された一方の鉄塔Ｔ1 と他方の鉄塔Ｔ2 との間に連結ロープ１２を介して設定間隔をおいて連結された吊り金車１４およびダウンロック金車１を旧線Ｗａを利用して支持ロープ１１とともに展開し、旧線Ｗａに新線Ｗｂを接続して支持ロープ１１に支持させ、旧線Ｗａを巻き取ることにより、新線Ｗｂに取り替えることができる。したがって、旧線Ｗａの巻き取り時に巻き取り作業を中断して電線把持器を順次追加する必要がなくなり、作業時間を大幅に短縮することができる。
【００５９】
また、旧線Ｗａが万が一切断したとしても切断された旧線Ｗａをダウンロック金車１が確実に保持することができ、自由に垂れ下がって地上の重要横断物に悪影響を及ぼすことを防止することができる。
【００６０】
ところで、前述した実施形態においては、隣接する２本の鉄塔Ｔ1 ，Ｔ2 において、旧線Ｗａを新線Ｗｂに取り替える場合について説明したが、連続する３本以上の鉄塔にわたる旧線を新線に取り替える場合に適用することもできる。
【００６１】
以下、連続する４本の鉄塔Ｔ1 ，Ｔ2 ，Ｔ3 ，Ｔ4 にわたる旧線Ｗａを新線Ｗｂに取り替える場合について、図１０に基づいて説明する。この場合、旧線Ｗａが切断して垂れ下がった際に悪影響を及ぼす地上の重要横断物が鉄塔Ｔ2 ，Ｔ3 間に存在していると仮定する。
【００６２】
まず、鉄塔Ｔ1 において、支持ロープ１１の一端および連結ロープ１２の一端がそれぞれ連結された自走機１３を旧線Ｗａに懸吊し、鉄塔Ｔ1 から鉄塔Ｔ2 に向けて走行させ、鉄塔Ｔ1 ，Ｔ2 との間に支持ロープ１１および連結ロープ１２を展開する。この際、連結ロープ１２および旧線Ｗａを利用して吊り金車１４を設定間隔をおいて順に供給し、鉄塔Ｔ1 ，Ｔ2 との間に設定間隔をおいて吊り金車１４を配置する。
【００６３】
鉄塔Ｔ1 ，Ｔ2 の間に支持ロープ１１および連結ロープ１２が張り渡されるとともに、旧線Ｗａに設定間隔をおいて吊り金車１４が懸吊されたならば、鉄塔Ｔ2 において、支持ロープ１１の一端および連結ロープ１２の一端がそれぞれ連結された自走機１３を旧線Ｗａに懸吊し、鉄塔Ｔ2 から鉄塔Ｔ3 に向けて走行させ、鉄塔Ｔ2 ，Ｔ3 との間に支持ロープ１１および連結ロープ１２を展開する。この際、連結ロープ１２および旧線Ｗａを利用して吊り金車１４およびダウンロック金車１を設定間隔をおいて順に供給し、鉄塔Ｔ2 ，Ｔ3 との間に設定間隔をおいて吊り金車１４およびダウンロック金車１を交互に配置する。
【００６４】
同様に、鉄塔Ｔ3 において、支持ロープ１１の一端および連結ロープ１２の一端がそれぞれ連結された自走機１３を旧線Ｗａに懸吊し、鉄塔Ｔ3 から鉄塔Ｔ4 に向けて走行させ、鉄塔Ｔ3 ，Ｔ4 との間に支持ロープ１１および連結ロープ１２を展開する。この際、連結ロープ１２および旧線Ｗａを利用して吊り金車１４を設定間隔をおいて順に供給し、鉄塔Ｔ3 ，Ｔ4 との間に設定間隔をおいて吊り金車１４を配置する。
【００６５】
このように、鉄塔Ｔ1 ，Ｔ2 との間、鉄塔Ｔ2 ，Ｔ3 との間および鉄塔Ｔ3 ，Ｔ4 との間にそれぞれ支持ロープ１１および連結ロープ１２が張り渡されたならば、鉄塔Ｔ1 ，Ｔ2 間の支持ロープ１１を張り上げて旧線Ｗａの上方に配設し、吊り金車１４を反転させる。同様に、鉄塔Ｔ2 ，Ｔ3 間の支持ロープ１１および鉄塔Ｔ3 ，Ｔ4 間の支持ロープ１１を順に張り上げてそれぞれ旧線Ｗａの上方に配設し、吊り金車１４を反転させる。
【００６６】
次いで、始端の鉄塔Ｔ1 側に設置された新線Ｗｂの繰り出し装置Ｄから新線Ｗｂを繰り出し、鉄塔Ｔ1 において新線Ｗｂの先端と鉄塔Ｔ1 側の旧線Ｗａの一端とを連結するとともに、終端の鉄塔Ｔ4 側に設置された旧線Ｗａの巻き取り装置Ｅに鉄塔Ｔ4 側の旧線Ｗａの一端を連結した後、それぞれの鉄塔間の旧線Ｗａの張力を緩めるとともに、支持碍子から切り離し、旧線Ｗａを支持ロープ１１に預けて支持させる。
【００６７】
この後、繰り出し装置Ｄから新線Ｗｂを繰り出すとともに、巻き取り装置Ｅに旧線Ｗａを巻き取ることにより、鉄塔Ｔ1 から鉄塔Ｔ4 にかけて新線Ｗｂを張り渡す（図１０参照）。
【００６８】
次いで、新線Ｗｂを各鉄塔の支持碍子に接続した後、鉄塔Ｔ1 ，Ｔ2 間に張り渡された支持ロープ１１を緩めて新線Ｗｂの下方に配設し、吊り金車１４を反転させる。その後、鉄塔Ｔ2 側において、支持ロープ１１および連結ロープ１２の固定を解除して自走機１３に連結し、自走機１３を新線Ｗｂに懸吊する。次いで、鉄塔Ｔ1 側において、支持ロープ１１および連結ロープ１２を牽引すれば、新線Ｗｂに懸吊された吊り金車１４を新線Ｗｂ上で転動させつつ支持ロープ１１および連結ロープ１２とともに回収する。さらに、支持ロープ１１の固定を解除し、自走機１３を回収する。
【００６９】
鉄塔Ｔ1 ，Ｔ2 間の回収が終了すれば、鉄塔Ｔ2 ，Ｔ3 間に張り渡された支持ロープ１１を緩めて新線Ｗｂの下方に配設し、吊り金車１４を反転させる。その後、鉄塔Ｔ3 側において、支持ロープ１１および連結ロープ１２の固定を解除して自走機１３に連結し、自走機１３を新線Ｗｂに懸吊する。次いで、鉄塔Ｔ2 側において、支持ロープ１１および連結ロープ１２を牽引すれば、新線Ｗｂに懸吊された吊り金車１４およびダウンロック金車１を新線Ｗｂ上で転動させつつ支持ロープ１１および連結ロープ１２とともに回収する。さらに、支持ロープ１１の固定を解除し、自走機１３を回収する。
【００７０】
同様に、鉄塔Ｔ3 ，Ｔ4 間に張り渡された支持ロープ１１を緩めて新線Ｗｂの下方に配設し、吊り金車１４を反転させた後、鉄塔Ｔ4 側において、支持ロープ１１および連結ロープ１２の固定を解除して自走機１３に連結し、自走機１３を新線Ｗｂに懸吊する。次いで、鉄塔Ｔ3 側において、支持ロープ１１および連結ロープ１２を牽引すれば、新線Ｗｂに懸吊された吊り金車１４を新線Ｗｂ上で転動させつつ支持ロープ１１および連結ロープ１２とともに回収する。さらに、支持ロープ１１の固定を解除し、自走機１３を回収する。
【００７１】
一方、旧線Ｗａを巻き取っている際に旧線Ｗａが切断した場合について説明する。
【００７２】
ここで、重要横断物が存在する鉄塔間の旧線Ｗａが切断した場合については、先に説明したため、重要横断物が存在しない鉄塔間、例えば、鉄塔Ｔ3 ，Ｔ4 間の旧線Ｗａが切断した場合について図１１に基づいて説明する。
【００７３】
鉄塔Ｔ3 ，Ｔ4 間の旧線Ｗａが切断すると、鉄塔Ｔ3 ，Ｔ4 に張り渡された旧線Ｗａの張力が小さくなり、吊り金車１４，１４間の弛み度が大きくなる。このような旧線Ｗａの張力の減少は、隣接する鉄塔Ｔ2 ，Ｔ3 間の旧線Ｗａにも波及し、鉄塔Ｔ2 ，Ｔ3 間における吊り金車１４，１４間の旧線Ｗａの弛み度の増大に発展する。そして、重要横断物が存在する鉄塔Ｔ2 ，Ｔ3 間において、旧線Ｗａの吊り金車１４，１４間の弛みが、吊り下げケーブル９の弛み分以上に大きくなれば、その弛みに追従して徐々に落下しているダウンロック金車１は、吊り下げケーブル９および引っ張りケーブル８を緊張させて支持されるため、それ以上の落下が阻止される。したがって、ダウンロック金車１の自重による張力が緊張した引っ張りケーブル８を介して屈折リンク５に作用して屈折リンク５を伸展させ、付勢手段６の付勢力に抗して支持フレーム２に対して昇降プレート４１を引き上げ、支持フレーム２の押圧体２６と昇降プレート４１の押圧体４３との間で切断された旧線Ｗａを挟み込んで把持し、切断された旧線Ｗａの垂れ下がりを防止する。
【００７４】
以上のことから、重要横断物が存在する鉄塔間を含めて旧線Ｗａを新線Ｗｂに取り替えることが要求された複数の鉄塔間において、重要横断物が存在する鉄塔間に連結ロープ１２を介して設定間隔をおいて連結された吊り金車１４およびダウンロック金車１を旧線Ｗａを利用して支持ロープ１１とともに展開し、一方、重要横断物が存在しない鉄塔間に連結ロープ１２を介して設定間隔をおいて連結された吊り金車１４を旧線Ｗａを利用して支持ロープ１１とともに展開し、旧線Ｗａに新線Ｗｂを接続して支持ロープ１１に支持させ、旧線Ｗａを巻き取ることにより、新線Ｗｂに取り替えることができる。したがって、旧線Ｗａの巻き取り時に巻き取り作業を中断して電線把持器を順次追加する必要がなくなり、作業時間を大幅に短縮することができる。
【００７５】
また、重要横断物が存在する鉄塔間の旧線Ｗａが万が一切断したとしても、あるいは、重要横断物が存在しない鉄塔間の旧線Ｗａが万が一切断したとしても、切断された旧線Ｗａをダウンロック金車１が確実に把持することができ、自由に垂れ下がって地上の重要横断物に悪影響を及ぼすことを防止することができる。
【産業上の利用可能性】
【００７６】
以上のように本発明によれば、送電線が切断した際にのみ送電線を把持するダウンロック金車を用いて短時間に既設の送電線を撤去して新設の送電線に取り替えることができることから、張り替えを必要とする既設の送電線の取り替え作業を安全に、かつ、効率的に施工することができる。
【図面の簡単な説明】
【００７７】
【図１】本発明のダウンロック金車の一実施形態を示す正面図である。
【図２】図１のダウンロック金車の右側面図である。
【図３】本発明のダウンロック金車を用いて送電線を取り替える工法を説明する工程図である。
【図４】本発明のダウンロック金車を用いて送電線を取り替える工法を説明する工程図である。
【図５】本発明のダウンロック金車を用いて送電線を取り替える工法を説明する工程図である。
【図６】本発明のダウンロック金車を用いて送電線を取り替える工法を説明する工程図である。
【図７】本発明のダウンロック金車を用いて送電線を取り替える工法を説明する工程図である。
【図８】本発明のダウンロック金車を用いた送電線の取り替え工法において、送電線が切断した状態を示す説明図である。
【図９】本発明のダウンロック金車を用いた送電線の取り替え工法において、送電線が切断した場合の回収要領を示す説明図である。
【図１０】本発明のダウンロック金車を用いて３本以上の鉄塔間の送電線の取り替え工法を説明する工程図である。
【図１１】図１０に示した送電線の取り替え工法において、既設の送電線が切断した状態を示す説明図である。
【符号の説明】
【００７８】
１  ダウンロック金車
２  支持フレーム
２６  押圧体
３  支持ローラ体
３１  支持ローラ
４  昇降部材
４１  昇降プレート
４３  押圧体
５  屈折リンク
６  付勢手段
７  吊り下げ部材
８  引っ張りケーブル
９  吊り下げケーブル
１０  金車
１１  支持ロープ
１２  連結ロープ
１３  自走機
１４  吊り金車
１４１  一方の金車
１４２  他方の金車
Ｗ  送電線
Ｗａ  既設の送電線（旧線）
Ｗｂ  新設の送電線（新線）
Ｔ1 ，Ｔ2 ，Ｔ3 ，Ｔ4   鉄塔
【図１】
2006340484.tif 000003
【図２】
2006340484.tif 000004
【図３】
2006340484.tif 000005
【図４】
2006340484.tif 000006
【図５】
2006340484.tif 000007
【図６】
2006340484.tif 000008
【図７】
2006340484.tif 000009
【図８】
2006340484.tif 000010
【図９】
2006340484.tif 000011
【図１０】
2006340484.tif 000012
【図１１】
2006340484.tif 000013